【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
情報処理装置であって、
前記情報処理装置の起動時に、前記情報処理装置がユーザの操作に応じて起動する場合であって前記情報処理装置を特殊モードで起動するための情報が入力されている場合、前記情報処理装置を前記特殊モードで起動する起動制御手段、を備え、
前記起動制御手段は、前記情報処理装置がユーザの前記操作無しで自動的に起動する場合であって前記情報処理装置を前記特殊モードで起動するための情報が入力されている場合、前記情報処理装置を前記特殊モードで起動しない、ことを特徴とする情報処理装置。
【請求項２】
前記特殊モードは、前記情報処理装置に接続された外部装置に記憶されるソフトウェアを用いて起動を行うモードである、ことを特徴とする請求項１に記載の情報処理装置。
【請求項３】
前記ソフトウェアは、オペレーティングシステムである、ことを特徴とする請求項２に記載の情報処理装置。
【請求項４】
前記情報処理装置を特殊モードで起動するための情報が入力されている場合とは、ユーザの操作を受け付ける操作部の特定のキーがユーザによって操作された場合である、ことを特徴とする請求項１乃至３の何れか１項に記載の情報処理装置。
【請求項５】
前記情報処理装置を特殊モードで起動するための情報が入力されている場合とは、前記情報処理装置を前記特殊モードで起動するための情報が記憶された記憶手段が前記情報処理装置に接続されている場合である、ことを特徴とする請求項１乃至３の何れか１項に記載の情報処理装置。
【請求項６】
前記起動制御手段は、前記情報処理装置をユーザの操作に応じて起動する場合であって前記情報処理装置を前記特殊モードで起動するための情報が入力されていない場合、前記情報処理装置を前記特殊モードとは異なる通常モードで起動する、ことを特徴とする請求項１乃至５の何れか１項に記載の情報処理装置。
【請求項７】
前記起動制御手段は、前記情報処理装置がユーザの操作無しで自動的に起動する場合であって前記情報処理装置を前記特殊モードで起動するための情報が入力されている場合、前記情報処理装置を前記通常モードで起動する、ことを特徴とする請求項６に記載の情報処理装置。
【請求項８】
前記情報処理装置がユーザの操作無しで自動的に起動することを示す情報を保持する保持手段をさらに備え、
前記起動制御手段は、前記保持手段に保持された前記情報に基づいて、前記情報処理装置がユーザの前記操作無しで自動的に起動するか否かを判定する、ことを特徴とする請求項１乃至７の何れか１項に記載の情報処理装置。
【請求項９】
前記起動制御手段は、前記保持手段に保持された前記情報に基づいて、前記情報処理装置がユーザの前記操作無しで自動的に起動した場合、前記保持手段に保持された前記情報を削除する、ことを特徴とする請求項８に記載の情報処理装置。
【請求項１０】
前記起動制御手段は、前記情報処理装置がユーザの前記操作無しで自動的に起動する時には、前記情報処理装置を前記特殊モードで起動するための情報が入力されているか否かの判断を行わない、ことを特徴とする請求項１乃至９の何れか１項に記載の情報処理装置。
【請求項１１】
情報処理装置の制御方法であって、
前記情報処理装置の起動時に、前記情報処理装置がユーザの操作に応じて起動する場合であって前記情報処理装置を特殊モードで起動するための情報が入力されている場合、前記情報処理装置を前記特殊モードで起動する起動ステップを有し、
前記起動ステップにおいて、前記情報処理装置がユーザの前記操作無しで自動的に起動する場合であって前記情報処理装置を前記特殊モードで起動するための情報が入力されている場合、前記情報処理装置を前記特殊モードで起動しない、ことを特徴とする情報処理装置の制御方法。
【請求項１２】
前記特殊モードは、前記情報処理装置に接続された外部装置に記憶されるソフトウェアを用いて起動を行うモードである、ことを特徴とする請求項１１に記載の情報処理装置の制御方法。
【請求項１３】
前記ソフトウェアは、オペレーティングシステムである、ことを特徴とする請求項１２に記載の情報処理装置の制御方法。
【請求項１４】
前記情報処理装置を特殊モードで起動するための情報が入力されている場合とは、ユーザの操作を受け付ける操作部の特定のキーがユーザによって操作された場合である、ことを特徴とする請求項１１乃至１３の何れか１項に記載の情報処理装置の制御方法。
【請求項１５】
前記情報処理装置を特殊モードで起動するための情報が入力されている場合とは、前記情報処理装置を前記特殊モードで起動するための情報が記憶された記憶手段が前記情報処理装置に接続されている場合である、ことを特徴とする請求項１１乃至１３の何れか１項に記載の情報処理装置の制御方法。
【請求項１６】
前記起動ステップにおいて、前記情報処理装置をユーザの操作に応じて起動する場合であって前記情報処理装置を前記特殊モードで起動するための情報が入力されていない場合、前記情報処理装置を前記特殊モードとは異なる通常モードで起動する、ことを特徴とする請求項１１乃至１５の何れか１項に記載の情報処理装置の制御方法。
【請求項１７】
前記起動ステップにおいて、前記情報処理装置がユーザの操作無しで自動的に起動する場合であって前記情報処理装置を前記特殊モードで起動するための情報が入力されている場合、前記情報処理装置を前記通常モードで起動する、ことを特徴とする請求項１６に記載の情報処理装置の制御方法。
【請求項１８】
前記情報処理装置がユーザの操作無しで自動的に起動することを示す情報を保持する保持ステップと、
前記保持された前記情報に基づいて、前記情報処理装置がユーザの前記操作無しで自動的に起動するか否かを判定する判定ステップと、をさらに有することを特徴とする請求項１１乃至１７の何れか１項に記載の情報処理装置の制御方法。
【請求項１９】
前記保持された前記情報に基づいて、前記情報処理装置がユーザの前記操作無しで自動的に起動した場合、前記保持された前記情報を削除する削除ステップ、をさらに有することを特徴とする請求項１８に記載の情報処理装置の制御方法。
【請求項２０】
前記情報処理装置がユーザの操作無しで自動的に起動する時には、前記情報処理装置を前記特殊モードで起動するための情報が入力されているか否かの判断を行わない、ことを特徴とする請求項１１乃至１９の何れか１項に記載の情報処理装置の制御方法。
【請求項２１】
情報処理装置のコンピュータを、
前記情報処理装置の起動時に、前記情報処理装置がユーザの操作に応じて起動する場合であって前記情報処理装置を特殊モードで起動するための情報が入力されている場合、前記情報処理装置を前記特殊モードで起動する起動制御手段、として機能させるプログラムであって、
前記起動制御手段は、前記情報処理装置がユーザの前記操作無しで自動的に起動する場合、前記情報処理装置を前記特殊モードで起動するための情報が入力されていても、前記情報処理装置を前記特殊モードで起動しない、ことを特徴とするプログラム。
【手続補正２】
【補正対象書類名】明細書
【補正対象項目名】００１０
【補正方法】変更
【補正の内容】
【００１０】
本発明は、情報処理装置であって、前記情報処理装置の起動時に、前記情報処理装置がユーザの操作に応じて起動する場合であって前記情報処理装置を特殊モードで起動するための情報が入力されている場合、前記情報処理装置を前記特殊モードで起動する起動制御手段、を備え、前記起動制御手段は、前記情報処理装置がユーザの前記操作無しで自動的に起動する場合であって前記情報処理装置を前記特殊モードで起動するための情報が入力されている場合、前記情報処理装置を前記特殊モードで起動しない、ことを特徴とする。